(57)【要約】【課題】屋外などの悪環境下において、電子ペンを使用することができるドットパターンを有した電子ペン用シートを提供する。【解決手段】シート基材２０と、シート基材２０の少なくとも片面に電子ペンで読み取り可能なドットパターン３１を有するドットパターン印刷層３０と、ドットパターン印刷層３０と同じ面に絵柄を有する絵柄印刷層４０と、シート基材２０の両面に耐水性及び／又は防汚性があり、筆記適性を有するインキ受容層を兼ねている保護層５０とを備える。【選択図】図１
2007185900.tif 000002
【特許請求の範囲】
【請求項１】
シート基材と、
前記シート基材の少なくとも片面に電子ペンで読み取り可能なドットパターンを有するドットパターン印刷層と、
前記シート基材の両面に耐水性及び／又は防汚性のある保護層と、
を備える電子ペン用シート。
【請求項２】
請求項１に記載の電子ペン用シートにおいて、
前記保護層は、筆記適性を有するインキ受容層を兼ねていること、
を特徴とする電子ペン用シート。
【請求項３】
請求項１又は請求項２に記載の電子ペン用シートにおいて、
前記シート基材は、前記ドットパターン印刷層と同じ面に絵柄を有する絵柄印刷層を備えること、
を特徴とする電子ペン用シート。
【請求項４】
請求項１から請求項３までのいずれか１項に記載の電子ペン用シートにおいて、
前記ドットパターン印刷層及び前記絵柄印刷層は、前記シート基材に印刷され、前記保護層に覆われること、
を特徴とする電子ペン用シート。
【請求項５】
請求項１から請求項３までのいずれか１項に記載の電子ペン用シートにおいて、
前記ドットパターン印刷層及び前記絵柄印刷層は、前記保護層に覆われた前記シート基材に印刷されること、
を特徴とする電子ペン用シート。
【発明の詳細な説明】
【技術分野】
【０００１】
本発明は、電子ペンを使用できるドットパターンを有した電子ペン用シートに関するものである。
【背景技術】
【０００２】
宅配業などに使用されている伝票は、昨今のデジタル機器の発展と、伝票の構造の進化により、伝票発行の高速化、高効率化については実現できているが、宅配後などの伝票処理については、従来から印鑑で捺印又は手書きで署名した伝票を手作業により処理されていることが多い。昨今、このような伝票処理に、電子ペンを用いた技術が提案され（例えば、特許文献１）、伝票処理を高速化及び高効率化する傾向がある。
電子ペンとは、ＣＣＤカメラを内蔵したインキペンと専用紙から構成されており、専用紙に印刷されているドットパターンの配置情報を、電子ペンに内蔵されたＣＣＤカメラで認識することにより、筆記時の軌跡情報（座標）を取得し、電子データとして記録する。この専用紙に印刷されるドットパターンの精度は、筆記軌跡の電子データの精度及び正確さに影響するため、非常に重要となる。
【０００３】
しかし、精度良くドットパターンが印刷された専用紙においても、雨天時の屋外や、保冷配送時などの悪環境で使用される場合には、専用紙が汚損され、ドットパターンが認識できないなどの問題が発生し、記入情報が正確に又は全く得られない場合がある。
【特許文献１】特開２００４−１９５９３３号公報
【発明の開示】
【発明が解決しようとする課題】
【０００４】
本発明の課題は、屋外などの悪環境下において、電子ペンを使用することができるドットパターンを有した電子ペン用シートを提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、シート基材（２０）と、前記シート基材（２０）の少なくとも片面に電子ペン（１００）で読み取り可能なドットパターン（３１）を有するドットパターン印刷層（３０）と、前記シート基材（２０）の両面に耐水性及び／又は防汚性のある保護層（５０）とを備える電子ペン用シート（１０）である。
【０００６】
請求項２の発明は、請求項１に記載の電子ペン用シート（１０）において、前記保護層（５０）は、筆記適性を有するインキ受容層を兼ねていることを特徴とする電子ペン用シート（１０）である。
【０００７】
請求項３の発明は、請求項１又は請求項２に記載の電子ペン用シート（１０）において、前記シート基材（２０）は、前記ドットパターン印刷層（３０）と同じ面に絵柄を有する絵柄印刷層（４０）を備えることを特徴とする電子ペン用シート（１０）である。
【０００８】
請求項４の発明は、請求項１から請求項３までのいずれか１項に記載の電子ペン用シート（１０）において、前記ドットパターン印刷層（３０）及び前記絵柄印刷層（４０）は、前記シート基材（２０）に印刷され、前記保護層（５０）に覆われることを特徴とする電子ペン用シート（１０）である。
【０００９】
請求項５の発明は、請求項１から請求項３までのいずれか１項に記載の電子ペン用シート（１０）において、前記ドットパターン印刷層（３０）及び前記絵柄印刷層（４０）は、前記保護層（５０）に覆われた前記シート基材（２０）に印刷されることを特徴とする電子ペン用シート（１０）である。
【発明の効果】
【００１０】
以上説明したように、本発明によれば、以下のような効果がある。
（１）シート基材が保護層で覆われているので、シート基材の汚損を防ぎ、電子ペンの読み取り不良を防止することができる。
（２）保護層は、筆記特性を有するインキ受容層を兼ねているので、筆跡をシート基材に残すことができる。
（３）シート基材は、ドットパターン印刷層と同じ面に絵柄印刷層を備えているので、シート基材に伝票などの名称や、記入欄などを設けることができる。
【発明を実施するための最良の形態】
【００１１】
本発明は、屋外などの悪環境下において、電子ペンを使用することができるドットパターンを有した電子ペン用シートを提供するという目的を、シート基材を保護層で覆うことにより実現する。
【実施例１】
【００１２】
以下、図面等を参照して、本発明の実施例をあげて、さらに詳しく説明する。
図１は、本発明による実施例１の電子ペン用シートで構成された配送伝票を示す図である。なお、図１（Ｂ）は、図１（Ａ）のＢ−Ｂ断面の模式図である。また、図２は、実施例１の電子ペンの構成を示す模式図である。
【００１３】
電子ペン１００は、図２に示すように、インキペン部１０１、赤外線照明部１０２、ＣＣＤカメラ部１０３、メモリ部１０４及びデータ送信部１０５で構成されている。
インキペン部１０１は、インキ式の筆記道具であり、例えば、ボールペンである。
赤外線照明部１０２は、ＣＣＤカメラ部１０３で読み取る領域を赤外線で照明する発光部である。
ＣＣＤカメラ部１０３は、電子ペン１００により筆記した軌跡をドットパターン印刷層３０から読み取るカメラである。
メモリ部１０４は、ＣＣＤカメラ部１０３で読み取ったデータを時系列の座標データに変換し、記憶しておく回路である。
データ送信部１０５は、メモリ部１０４に記憶された時系列の座標データを外部端末１１０に送信する送信機である。
外部端末１１０は、データ送信部１０５から発信されたデータを受信及び保存する機能を持つデータベースである。
【００１４】
配送伝票１０は、図１（Ａ）に示すように、シート基材２０の片面にドットパターン印刷層３０及び絵柄印刷層４０が印刷され、更に、その上を保護層５０で覆われ、ミシン目２１により貼付票１１及び受領票１２に分離することができる宅配便に使用される電子ペン用シートである。
シート基材２０は、普通紙で構成される伝票基材である。
ドットパターン印刷層３０は、電子ペン１００により認識することができるカーボンを含んだ専用インキからなるドットパターン３１により構成されている。
【００１５】
絵柄印刷層４０は、通常のインキからなる署名欄４１、機能欄４２及び配達先情報欄４３により構成されている。
署名欄４１は、電子ペン１００に併設されたインキペン部１０１により受領確認の署名を記入する欄であり、また、この欄内で電子ペン１００が使用されたときは、筆記軌跡の座標データを取得するように予め定義されている。
機能欄４２は、その欄内に電子ペン１００による記入があったときに、予め定義したアクションを実行させるための指令欄であり、本実施例では、電子ペン１００のメモリ部１０４に記憶されたデータを外部端末１１０へ送信させるための送信指令欄である。
配達先情報欄４３は、荷受人の宛先を記入する欄である。
保護層５０は、ドットパターン印刷層３０及び絵柄印刷層４０を印刷したシート基材２０の両面を覆う耐水性及び防汚性のコーティング材である。コーティング材は、例えば、ＯＰニスであり、筆記適性を持たせるためインキ受容層も兼ねる。
【００１６】
次に、電子ペン１００のデータの読み取り方法、及び、読み取ったデータの変換方法について説明する。図３は、電子ペン１００のデータ変換則の一例を示す図であり、図４は、データの変換例を示す図である。
電子ペン１００は、内蔵されている赤外線照明部１０２により、配送伝票１０のドットパターン３１を照明し、ＣＣＤカメラ部１０３により筆記の軌跡を読み取る。ＣＣＤカメラ部１０３は、筆記したインクペン部１０１のインキを読み取るのではなく、図２に示すように、筆記場所の近傍の赤外線照明部１０２により照明された領域のカーボンを含んだ専用インキで印刷されたドットパターン３１のみを読み取る。
ドットパターン３１のドットは、図３に示すように、各ドットの位置が座標データ（０〜３）に対応付けされており、例えば、図４（Ａ）に示すようなドットパターン３１を電子ペン１００が読み取ったときは、図３にある変換則により、図４（Ｂ）に示すように、座標データへと変換される。座標データは、筆記中に連続的にメモリ部１０４へ記憶され、時系列の座標データとなる。なお、インクペン部１０１に筆圧を感知できる圧力計（図示せず）を備えるなどして、筆記の開始、終了を検知し、電子ペン１００のメモリ部１０４の記憶開始、終了のＯＮ／ＯＦＦのスイッチとする。
【００１７】
続いて、実施例１の配送伝票１０の使用方法を説明する。
配達依頼人は、配送伝票１０の配達情報欄４３に荷受人の宛先を記入し、送付したい荷物に配送伝票１０を貼り付けて配送業者へ渡す。配送業者は、荷物に貼り付けられた配送伝票１０を確認し、配送人（ドライバー）に手渡す。
配送人は、配送伝票１０に記載された配達情報欄４３を見て、荷受人へ荷物を配送する。荷受人へ荷物を届けたときに、受領票１２をミシン目２１で切り取り、荷受人から電子ペン１００により署名欄４１に受領確認の署名を貰う。荷受人の署名は、電子ペン１００のインキペン部１０１により受領票１２に筆跡を残し、同時に、署名の筆記軌跡が、電子ペン１００のＣＣＤカメラ部１０３により読み取られ、メモリ部１０４で時系列の座標データに変換し、記憶される。
【００１８】
仮に、配達又は荷物の受け渡し時に雨などが降り、配送伝票１０に水滴や汚れが付着しても、保護層５０により水滴や汚れをはじくことができるので、ドットパターン３１のピッチの変化による電子ペン１００の読み取り不良の原因となる配送伝票１０の伸びや歪を防ぐことができる。
荷受人より受領票１２に署名を貰った配送人は、受領票１２の機能欄４２をチェックし、電子ペン１００のメモリ部１０４に記憶された時系列の座標データを、データ送信部１０５により外部端末１１０へ送信し、電子データとして保存する。これにより、従来、１枚ずつ手作業にて行なわれていた配送後の伝票処理が、電子データによる処理へと変わり、処理時間及び手間を大幅に軽減することができる。
【００１９】
以上より、実施例１の配送伝票１０には以下のような効果がある。
（１）シート基材２０が保護層５０で覆われ防水性及び防汚性を伴っているので、水分によるシート基材２０の伸び、歪及び汚れを防ぎ、電子ペン１００の読み取り不良の発生を防止することができる。
（２）保護層５０は、筆記特性を有するインキ受容層を兼ねているので、筆跡をシート基材２０に残すことができる。
（３）シート基材２０は、ドットパターン印刷層３０と同じ面に絵柄印刷層４０を備えているので、シート基材２０に署名欄４１、機能欄４２及び配達先情報欄４３を設けることができる。
（４）ドットパターン印刷層３０は、カーボンを含む専用インキから形成され、また、絵柄印刷層４０は、通常のインキから形成されているので、電子ペン１００は、シート基材２０の同一面内に各印刷層が存在していても、絵柄印刷層４０のインキが原因となる読み取り不良を発生させることなく、ドットパターン３１を読み取ることができる。
【００２０】
（変形例）
以上説明した実施例に限定されることなく、種々の変形や変更が可能であって、それらも本発明の均等の範囲内である。
（１）実施例１では、保護層５０は、ドットパターン印刷層３０及び絵柄印刷層４０を印刷したシート基材２０の両面を覆っているが、図５に示すように、シート基材２０の両面を直接覆い、その上にドットパターン印刷層３０及び絵柄印刷層４０を印刷してもよい。印刷には、例えば、ＵＶ硬化型インキを使用する。
（２）保護層５０に使用するＯＰニスの材料や膜厚の調整をしてもよい。これにより、保護層５０の折り曲げに対する強度を高めて折り筋による電子ペン読み取り不良を防止することが可能となり、例えば、折り曲げ式の配達伝票などにも活用することができる。
（３）実施例１では、配送伝票を例にしたが、その他の手書きを要する伝票や、社内書類などに用いてもよい。
（４）実施例１では、機能欄４２は、データ送信用の指令欄であるが、その他の用途に用いてもよく、また、１シートに複数欄設けてもよい。例えば、複数枚の電子ペン用シートが束ねられた帳票において、シート名を判別するための判別欄及びデータ送信欄を各シートに設けた構成も可能である。
（５）実施例１では、ドットパターン印刷層３０の上に絵柄印刷層４０が構成されているが、絵柄印刷層４０の上にドットパターン印刷層３０が構成されていてもよい。また、両印刷層が同時にシート基材２０に印刷されることも可能である。
（６）実施例１では、ドットパターン３１は、シート基材２０の片面の全面に印刷されているが、電子ペン１００の読み取りを必要とする領域のみに印刷してもよい。
【図面の簡単な説明】
【００２１】
【図１】本発明による実施例１の配送伝票を示す図である。
【図２】本発明による実施例１の電子ペンの構成を示す模式図である。
【図３】本発明による実施例１の電子ペンのデータ変換則の一例を示す図である。
【図４】本発明による実施例１のデータ変換例を示す図である。
【図５】本発明による実施例１の変形例を示す図である。
【符号の説明】
【００２２】
１０  配送伝票
２０  シート基材
３０  ドットパターン印刷層
４０  絵柄印刷層
５０  保護層
１００  電子ペン
【図１】
2007185900.tif 000003
【図２】
2007185900.tif 000004
【図３】
2007185900.tif 000005
【図４】
2007185900.tif 000006
【図５】
2007185900.tif 000007